(57)【特許請求の範囲】
【請求項１】
光学テープ駆動システムのための可動平坦化装置サブシステムであって、
光学テープ平坦化装置と、
前記光学テープ平坦化装置を支持するためのテープ平坦化装置支持構造体とを含み、前記テープ平坦化装置支持構造体は、動作位置と非動作位置との間において可動であり、前記可動平坦化装置サブシステムはさらに、
前記テープ平坦化装置支持構造体および前記光学テープ平坦化装置を、前記動作位置と前記非動作位置との間において、光学テープの横断方向に平行な軸を中心に回転移動させるための双安定ロータリーアクチュエータを含み、
前記テープ平坦化装置支持構造体の前記動作位置は、光ピックアップユニット（ＯＰＵ）を介して光学テープにおける情報の読出し／書込みを可能にするよう、前記光学テープ平坦化装置を位置決めし、前記テープ平坦化装置支持構造体の前記非動作位置は、前記ＯＰＵに対する損傷なしで前記光学テープ駆動システムを介するテープリーダの通過を可能にするよう、前記光学テープ平坦化装置を位置決めし、
前記双安定ロータリーアクチュエータは、通電を切られると、前記テープ平坦化装置支持構造体を前記非動作位置に強制するように構成される、可動平坦化装置サブシステム。
【請求項２】
前記双安定ロータリーアクチュエータは、
永久磁石を含む回転子と、
磁性材料を含み、コイル巻線を有する固定子とを含み、
前記コイル巻線が電流を通電されるとき、前記回転子は前記固定子に対して第１の位置を有し、前記コイル巻線が通電を切られるとき、前記回転子は前記固定子に対して第２の位置を有し、第１の回転子位置は、前記テープ平坦化装置支持構造体の前記動作位置および前記非動作位置の１つに対応し、第２の回転子位置は、前記テープ平坦化装置支持構造体の前記動作位置および前記非動作位置の別の１つに対応する、請求項１に記載の可動平坦化装置サブシステム。
【請求項３】
前記双安定ロータリーアクチュエータは、前記第１および第２の回転子位置の１つに向かって前記回転子を付勢させるためのばねをさらに含む、請求項２に記載の可動平坦化装置サブシステム。
【請求項４】
前記光学テープ駆動システムはスピンドルモータを含み、前記スピンドルモータの逆電磁力を用いて電力損失時に前記固定子の前記コイル巻線に通電することができる、請求項２または３に記載の可動平坦化装置サブシステム。
【請求項５】
前記双安定ロータリーアクチュエータは、
永久磁石を含む回転子と、
コイル巻線を有する固定子とを含み、
前記コイル巻線が第１の電流を通電されるとき、前記回転子は前記固定子に対して第１の位置を有し、前記コイル巻線が第２の電流を通電されるとき、前記回転子は前記固定子に対して第２の位置を有し、第１の回転子位置は、前記テープ平坦化装置支持構造体の前記動作位置および前記非動作位置の１つに対応し、第２の回転子位置は、前記テープ平坦化装置支持構造体の前記動作位置および前記非動作位置の別の１つに対応する、請求項１に記載の可動平坦化装置サブシステム。
【請求項６】
前記双安定ロータリーアクチュエータは、前記第１および第２の回転子位置の１つで前記回転子の回転を停止させるための停止部をさらに含む、請求項３に記載の可動平坦化装置サブシステム。
【請求項７】
前記光学テープ平坦化装置は、前記テープリーダ上において設けられるピンと接触するように構成されたエッジを有し、前記テープリーダの前記ピンと前記光学テープ平坦化装置の前記エッジとの間の接触は、前記テープ平坦化装置支持構造体を前記動作位置から前記非動作位置に向かって回転させる、請求項１〜６のいずれか１項に記載の可動平坦化装置サブシステム。
【請求項８】
前記テープ平坦化装置支持構造体に対して固定的に取付けられた回転可能なシャフトをさらに含み、前記双安定ロータリーアクチュエータは、前記回転可能なシャフトを回転させ、それによって前記テープ平坦化装置支持構造体および前記光学テープ平坦化装置を前記動作位置と前記非動作位置との間において回転させるためのものである、請求項１〜７のいずれか１項に記載の可動平坦化装置サブシステム。
【請求項９】
光学テープ駆動システムにおいて光ピックアップユニット（ＯＰＵ）に対する損傷を最小限にするための方法であって、
光学テープ平坦化装置を支持するテープ平坦化装置支持構造体を、双安定ロータリーアクチュエータにより動作位置に移動するステップを含み、前記テープ平坦化装置支持構造体の前記動作位置は、前記ＯＰＵを介して光学テープにおける情報の読出し／書込みを可能にするよう、前記光学テープ平坦化装置を位置決めし、前記方法はさらに、
前記テープ平坦化装置支持構造体を、双安定ロータリーアクチュエータにより非動作位置に、光学テープの横断方向に平行な軸を中心に回転移動するステップを含み、前記テープ平坦化装置支持構造体の前記非動作位置は、前記ＯＰＵに対する損傷なしで前記光学テープ駆動システムを介する光学テープリーダの通過を可能にするよう、前記光学テープ平坦化装置を前記ＯＰＵに対して位置決めし、
前記双安定ロータリーアクチュエータは、通電を切られると、前記テープ平坦化装置支持構造体を前記非動作位置に強制するように構成される、方法。
【請求項１０】
前記テープ平坦化装置支持構造体を前記動作位置および前記非動作位置に移動するステップは、永久磁石回転子とともに動作のために構成された磁気固定子のコイル巻線に通電し、および通電を切るステップを含み、前記永久磁石回転子は前記テープ平坦化装置支持構造体と協働する、請求項９に記載の方法。
【請求項１１】
前記テープ平坦化装置支持構造体を前記動作位置および前記非動作位置に移動するステップは、固定子のコイル巻線に第１および第２の電流を通電するステップを含み、前記固定子は永久磁石回転子とともに動作のために構成され、前記永久磁石回転子は前記テープ平坦化装置支持構造体と協働する、請求項９に記載の方法。
【発明の詳細な説明】
【技術分野】
【０００１】
以下は、光学テープ駆動システムにおいて光ピックアップユニット（ＯＰＵ）の前に光学テープ媒体を位置決めするための平坦化支持装置に関する。
【背景技術】
【０００２】
背景
最適性能を求めて、光学記録システムは、光ピックアップユニット（ＯＰＵ）の前において移動するテープ媒体の精密な位置決めおよび平坦化をあたえる電気機械的なテープ送りサブシステムを伴う光学テープ駆動部を必要とする。テープ媒体の精密な位置決めおよび平坦化は、ＯＰＵの対物レンズの正確な合焦およびトラッキング動作を確実にする。
【発明の概要】
【発明が解決しようとする課題】
【０００３】
しかしながら、光学ヘッド対物レンズ合焦規格は、媒体およびＯＰＵ配置に対して厳格な接近要件を規定する。これは、テープ供給リールおよび巻取リールの結合リーダ（テープバックル）の設計および動作を困難にする。そのような困難は、光学媒体およびＯＰＵレンズ合焦距離の間隔要件に対してテープリーダが相対的に大きな寸法を有することから生じる。この点に関し、テープ送りサブシステムを介する大きな寸法のテープリーダの通過は、光学記録システムの最適性能のために必要とされる光学テープおよびＯＰＵの接近により、ＯＰＵに損傷を引起す場合がある。
【０００４】
その結果、そのような問題を克服する光学記録システムにおける電気機械的なテープ送りサブシステムに対するニーズが存在する。そのようなテープ送りサブシステムは、光学記録システムの最適性能を確実にするためにＯＰＵの前においてテープ媒体の精密な位置決めおよび平坦化をあたえながらも、サブシステムを介するテープリーダ通過によるＯＰＵの損傷の可能性を低減するだろう。
【課題を解決するための手段】
【０００５】
概要
ここに開示される一実施例によれば、光学テープ駆動システムにおいて、可動平坦化装置サブシステムが提供される。可動平坦化装置サブシステムは光学テープ平坦化装置を支持するためのテープ平坦化装置支持構造体を含み、支持構造体は動作位置と非動作位置との間において回転可能である。可動平坦化装置サブシステムは、さらに、テープ平坦化装置支持構造体に固定的に取付けられた回転可能なシャフトと、回転可能なシャフトを回転させ、それによって支持構造体および光学テープ平坦化装置を動作位置と非動作位置との間において回転させるためのアクチュエータとを含む。支持構造体の動作位置は、光ピックアップユニット（ＯＰＵ）を介して光学テープにおける情報の読出し／書込みを可能にするよう、光学テープ平坦化装置を位置決めする。支持構造体の非動作位置は、ＯＰＵに対する損傷なしでテープ駆動システムを介するテープリーダの通過を可能にするよう、光学テープ平坦化装置を位置決めする。
【０００６】
別の実施例に従うと、光学テープ駆動システムにおいて、可動平坦化装置サブシステムが設けられ、この可動平坦化装置サブシステムは、光学テープ平坦化装置を支持するためのテープ平坦化装置支持構造体を含み、支持構造体は、動作位置と非動作位置との間において可動であり、可動平坦化装置サブシステムはさらに、支持構造体および光学テープ平坦化装置を動作位置と非動作位置との間において移動させるためのアクチュエータを含む。支持構造体の動作位置は、光ピックアップユニット（ＯＰＵ）を介して光学テープにおける情報の読出し／書込みを可能にするよう、光学テープ平坦化装置を位置決めし、支持構造体の非動作位置は、ＯＰＵに対する損傷なしでテープ駆動システムを介するテープリーダの通過を可能にするよう、光学テープ平坦化装置を位置決めする。
【０００７】
さらに他の実施例によれば、光学テープ駆動システムにおいて光ピックアップユニット（ＯＰＵ）に対する損傷を最小限にするための方法が提供される。この方法は、光学テープ平坦化装置を支持するテープ平坦化装置支持構造体を動作位置に移動するステップを含み、支持構造体の動作位置は、ＯＰＵを介して光学テープにおける情報の読出し／書込みを可能にするよう、光学テープ平坦化装置を位置決めする。この方法は、さらに、テープ平坦化装置支持構造体を非動作位置に移動するステップを含み、支持構造体の非動作位置は、ＯＰＵに対する損傷なしでテープ駆動システムを介する光学テープリーダの通過を可能にするよう、光学テープ平坦化装置を位置決めする。
【０００８】
これらの実施例および添付の図面の詳細な説明を以下に述べる。
【図面の簡単な説明】
【０００９】
【図１】ここに開示される可動テープ平坦化装置サブシステムの実施例で用いられる例示的な前面要素の断面図である。
【図２ａ】可動テープ平坦化装置が通常の読取りおよび書込み動作のために位置決めされた光学テープ送りサブシステムの一実施例の上面図である。
【図２ｂ】可動テープ平坦化装置がテープ装填および装填解除動作のために位置決めされた図２ａの光学テープ送りサブシステムの実施例の上面図である。
【図３ａ】ここに開示される可動テープ平坦化装置サブシステムの実施例で用いられる双安定ロータリーアクチュエータの簡略図であり、アクチュエータ回転子の通電される位置および通電が切られる位置が、固定子に関連して示される図である。
【図３ｂ】ここに開示される可動テープ平坦化装置サブシステムの実施例で用いられる双安定ロータリーアクチュエータの簡略図であり、アクチュエータ回転子の通電される位置および通電が切られる位置が、固定子に関連して示される図である。
【図３ｃ】ここに開示される可動テープ平坦化装置サブシステムの実施例で用いられる双安定ロータリーアクチュエータの簡略図であり、アクチュエータ回転子の通電される位置および通電が切られる位置が、固定子に関連して示される図である。
【図３ｄ】ここに開示される可動テープ平坦化装置サブシステムの実施例で用いられる双安定ロータリーアクチュエータの簡略図であり、アクチュエータ回転子の通電される位置および通電が切られる位置が、固定子に関連して示される図である。
【図４ａ】可動テープ平坦化装置が、図３ａ〜図３ｄで示されるような双安定ロータリーアクチュエータを伴い、通常の読取りおよび書込み動作のために位置決めされた、光学テープ送りサブシステムの一実施例の上面図である。
【図４ｂ】可動テープ平坦化装置が、図３ａ〜図３ｄで示されるような双安定ロータリーアクチュエータを伴い、テープ装填および装填解除動作のために位置決めされた、図４ａの光学テープ送りサブシステムの実施例の上面図である。
【図５ａ】可動テープ平坦化装置が、図３ａ〜図３ｄで示されるような双安定ロータリーアクチュエータをばね機構とともに伴い、通常の読出しおよび書込み動作のために位置決めされた、光学テープ送りサブシステムの別の実施例の上面図である。
【図５ｂ】可動テープ平坦化装置が、図３ａ〜図３ｄで示されるような双安定ロータリーアクチュエータをばね機構とともに伴い、テープ装填および装填解除動作のために位置決めされた、図５ａの光学テープ送りサブシステムの実施例の上面図である。
【図６ａ】可動テープ平坦化装置が、図３ａ〜図３ｄで示されるような双安定ロータリーアクチュエータを伴い、通常の読取りおよび書込み動作のために位置決めされた、光学テープ送りサブシステムの別の実施例の上面図である。
【図６ｂ】可動テープ平坦化装置が、図３ａ〜図３ｄで示されるような双安定ロータリーアクチュエータを伴い、テープ装填および装填解除動作のために位置決めされた、図６ａの光学テープ送りサブシステムの実施例の上面図である。
【図７】光学テープ駆動システムにおいて光ピックアップユニットに対する損傷を最小限にするためにここに開示される方法の実施例を示す、単純化されたフローチャートである。
【発明を実施するための形態】
【００１０】
詳細な記載
図１〜図７を参照して、光学テープ駆動システムで用いられる可動テープ平坦化装置サブシステム、および光学テープ駆動システムにおいて光ピックアップユニットに対する損傷を最小限にするための方法が記載される。例示を容易にするため、および理解を容易にするため、同様の参照番号は、ここにおいては、図面の全体にわたって、同様の構成要素および特徴に対して用いられている。
【００１１】
まず、図１を参照して、ここに開示される可動テープ平坦化装置サブシステムの実施例で用いられる例示的な前面要素（１０）の断面図が示される。図１において見られるように、前面要素（１０）は、４ｍｍの長さＬおよび０．５〜１．５ｍｍの深さＤをあたえられてもよい。前面要素（１０）は、６．５〜９．５ｍｍの半径Ｒをあたえられてもよい支持面（１２）を有する。前面要素（１０）は当該技術分野において公知の任意の態様において、非常に研磨されたアルミナまたは他の種類のセラミック材から製造されてもよい。
【００１２】
図２ａは、可動テープ平坦化装置（１６）が通常の読取りおよび書込み動作のために位置決めされた光学テープ送りサブシステム（１４）の一実施例の上面図である。図２ｂは、可動テープ平坦化装置（１６）がテープ装填および装填解除動作のために位置決めされた、図２ａの光学テープ送りサブシステム（１４）の実施例の上面図である。そこに見られるように、テープ媒体（１８）は、その支持および光ピックアップユニット（ＯＰＵ）（２０）における通過が、供給リールおよび巻取リール（２２、２４）ならびにガイドローラ（２６）によって行われる。
【００１３】
図２ａおよび図２ｂにおいて示されるように、可動テープ平坦化装置（１６）は、回転可能なシャフト（３０）にそれ自体は取付けられ得る、平坦化装置支持構造体（２８）の上に取付けられた前面要素（１０）（図１を参照）を含む。この回転可能な構造は、アクチュエータ（図示せず）を介して、平坦化支持面（１２）を、第１の位置もしくは動作位置（図２ａを参照）、または第２の位置もしくは非動作位置（図２ｂを参照）に移動させることを可能にする（図１を参照）。第１の位置または動作位置は、読出しおよび書込み動作を可能にするよう、ＯＰＵ（２０）の対物レンズ（３２）の前にあり、およびそれに近い位置であり、第２の位置または非動作位置は、テープリーダ（３４）がＯＰＵ（２０）に対する損傷を引起すことなく、テープ媒体（１８）の装填および装填解除中のように、光学テープ駆動システムを介するテープリーダ（３４）の安全な通過を可能にするよう、ＯＰＵ（２０）から離れて間隔を置かれた位置である。
【００１４】
回転可能なものとしてここに示され記載される一方で、平坦化装置支持構造体（２８）は、代替的に、動作位置と非動作位置との間において他の態様で可動であってもよいことが注目されるべきである。たとえば、回転運動に加えて、または回転運動の代りに、平坦化装置支持構造体（２８）は、アクチュエータと協働して、前面要素（１０）とＯＰＵ（２０）との間の隙間または間隔を、読出しおよび書込み動作を可能にするよう必要とされるものから、テープリーダ（３４）がＯＰＵ（２０）に対する損傷を引起すことなく、テープ媒体（１８）の装填および装填解除中のように、光学テープ駆動システムを介するテープリーダ（３４）の安全な通過を可能にするのに十分なものにまで、増大するのに十分な、ＯＰＵ（２０）に対する平坦化装置支持構造体（２８）の線形運動をあたえるよう、構成されてもよい。
【００１５】
平坦化装置支持構造体（２８）の回転運動を容易にするために、回動シャフト（３０）または支持構造体（２８）の本体は、双安定ロータリーアクチュエータの回転子に接続されてもよい。この点に関し、図３ａ〜図３ｄは、ここに開示される可動テープ平坦化装置サブシステムの実施例で用いられる双安定ロータリーアクチュエータ（３６）の簡略図である。双安定ロータリーアクチュエータ（３６）は、永久磁石回転子（３８）、強磁性の固定子ハウジング（４０）、停止バー（４２）、およびコイル巻線（４４）を含んでもよい。図３ａ〜図３ｄは、ロータリーアクチュエータ（３６）の通電された状態および／または通電を切られた状態、ならびにその結果の、固定子（４０）に対する回転子（３８）の位置を示す。
【００１６】
より具体的には、図３ａおよび図３ｂにおいて見られるように、磁性回転子（３８）と強磁性の固定子ハウジング（４０）との間の磁気作用によって引起された回転子（３８）の２つの代替的な安定位置は、固定子ハウジング（４０）の内部または外部の、９０度間隔で設置されている停止バー（４２）の組によって抑制される。電流がアクチュエータ（３６）の固定子ハウジング（４０）のコイル（４４）に印加されない状態では、回転子（３８）はこれらの安定位置で静止しているままである。
【００１７】
図３ｃおよび図３ｄにおいて見られるように、固定子（４０）のコイル巻線（４４）に十分な大きさパルスの電流ｉを印加することによって、回転子（３８）は、パルス電流ｉの方向に依って、安定位置の一方にとどまるか、または他方の安定位置に移動する。たとえば、図３ｃにおいて示されるように、端子（４８）から端子（４６）にコイル（４４）にわたってパルス電流を印加することによって、回転子（３８）は安定位置（５０）から位置（５２）に移動される。図３ｄにおいて示される別の例においては、端子（４６）から端子（４８）にコイル（４４）にわたって反対方向にパルス電流を印加することによって、回転子（３８）は安定位置（５４）から位置（５６）に移動される。
【００１８】
ここで図４ａおよび図４ｂを参照して、図４ａは、可動テープ平坦化装置（１６）が、図３ａ〜図３ｄにおいて示されるタイプの双安定ロータリーアクチュエータを有し、通常の読出しおよび書込み動作に対して位置決めされた、光学テープ送りサブシステムの一実施例の上面図を示す。図４ｂは、可動テープ平坦化装置（１６）が、双安定ロータリーアクチュエータ（３６）を有し、テープ装填および装填解除動作に対して位置決めされた、図４ａの光学テープ送りサブシステムの実施例の上面図を示す。
【００１９】
そこに見られるように、回転可能なテープ平坦化装置（１６）のテープ平坦化装置支持構造体（２８）は、双安定ロータリーアクチュエータ（３６）の回転子（３８）に接続される。この点に関し、２つの機構の、移動する部分は、その動きを結合するためにシャフトを介して互いに堅固にまたは固定的に取付けまたは接続されてもよい。その結果、適切な方向における電流のパルスの印加によって、上に詳細に図３ａ〜図３ｄと関連して記載されるように、可動テープ平坦化装置（１６）は、読出しおよび書込み動作を可能にするよう、ＯＰＵ（２０）の前にあり、およびそれに近い、動作位置（図４ａを参照）か、またはテープリーダ（３４）がＯＰＵ（２０）に対する損傷を引起すことなく、テープリーダ（３４）の通過を可能にするよう、ＯＰＵ（２０）から離れて間隔を置かれた非動作位置（図４ｂを参照）に移動されてもよい。
【００２０】
図５ａおよび図５ｂを参照して、図５ａは、可動テープ平坦化装置（１６）が、図３ａ〜図３ｄで示されるような双安定ロータリーアクチュエータ（３６）をばね機構（５０および／または５２）とともに伴う、光学テープ送りサブシステム（１４）の別の実施例の上面図であり、可動テープ平坦化装置（１６）は通常の読出しおよび書込み動作のために位置決めされている。図５ｂは、可動テープ平坦化装置（１６）が、図３ａ〜図３ｄで示されるような双安定ロータリーアクチュエータ（３６）をばね機構（５０および／または５２）とともに伴う、図５ａの光学テープ送りサブシステム（１４）の実施例の上面図であり、可動テープ平坦化装置（１６）はテープ装填および装填解除動作のために位置決めされている。
【００２１】
そこに見られるように、機械ばねは、読出しおよび／または書込み動作を可能にするよう、可動テープ平坦化装置（１６）を、ＯＰＵ（２０）の前でありＯＰＵ（２０）に近い動作位置に置く位置にアクチュエータ（３６）の回転子（３８）を保持するために利用されてもよい（図５ａ）。機械ばねは、ロータリーばね（５０）、真っすぐなばね（５２）または当該技術分野において公知である任意の他の種類のばねであってもよい。
【００２２】
コイル（４４）に適切な連続的な電流を印加することは、テープ媒体（１８）の装填中や装填解除時のような、ＯＰＵ（２０）通過するテープリーダ（３４）の安全な通過のためにＯＰＵ（２０）から離れて間隔を置かれた非動作位置に、テープ平坦化装置（１６）を移動させる（図５ｂ）。単純なラッチ機構（図示せず）または付加的な電磁力を適用することにより、さらに、読出しおよび／または書込み動作のために、ＯＰＵ（２０）の前およびＯＰＵ（２０）に近い動作位置に可動テープ平坦化装置（１６）の位置を安定させることができることが、注目されるべきである。
【００２３】
次に図６ａおよび図６ｂを参照して、図６ａは、可動テープ平坦化装置（１６）が、図３ａ〜図３ｄで示されるような双安定ロータリーアクチュエータ（３６）を伴い、通常の読取りおよび書込み動作のために位置決めされた、光学テープ送りサブシステム（１４）の別の実施例の上面図である。図６ｂは、可動テープ平坦化装置（１６）が、図３ａ〜図３ｄで示されるような双安定ロータリーアクチュエータ（３６）を伴い、テープ装填および装填解除動作のために位置決めされた、図６ａの光学テープ送りサブシステム（１４）の実施例の上面図である。
【００２４】
図６ａおよび図６ｂに示される実施例は、停電またはテープ巻き戻しの場合にテープリーダ（３４）からＯＰＵ（２０）への損傷を最小限にするためにフェールセーフ機構を組込む。たとえば、通常のテープ移動動作中の電力損失の場合において、テープ駆動スピンドルモータ（図示せず）の逆起電力（逆ＥＭＦ）を利用して固定子（４０）に通電して、ＯＰＵ（２０）から離れて間隔を置かれた非動作安全位置に向かってテープ平坦化装置（１６）を移動させ、それによって、ＯＰＵ（２０）への損傷を伴わないテープリーダ（３４）の通過を可能にしてもよい。
【００２５】
その同じ点に関し、図６ａおよび図６ｂにおいて見られるように、テープリーダ（３４）はピン（５６）を設けられてもよい。前面要素（１０）または回転可能なテープ平坦化装置（１６）の平坦化装置支持構造体（２８）は、テープリーダ（３４）がＯＰＵ（２０）を通過する際にテープリーダ（３４）のピン（５６）と接触するように構成されるエッジを設けられてもよい。テープリーダ（３４）がＯＰＵ（２０）に接近する際のテープリーダ（３４）のピン（５６）と前面要素（１０）または平坦化装置支持構造体（２８）のエッジとのそのような機械的結合（図６ａを参照）は、可動テープ平坦化装置（１６）の回転を、読出しおよび／または書込み動作が可能になるＯＰＵ（２０）の前およびＯＰＵ（２０）に近い動作位置から、ＯＰＵ（２０）から離れて間隔を置かれた非動作位置（図６ｂを参照）に向かって強制し、それによって、ＯＰＵ（２０）を破損せずに、テープリーダ（３４）の安全な通過を可能にする。
【００２６】
ここで図７を参照して、光学テープ駆動システムにおいて光ピックアップユニット（ＯＰＵ）への損傷を最小限にするためにここに開示される方法（７０）の実施例を示す、単純化されたフローチャートが示される。そこに見られるように、この方法（７０）は、光学テープ平坦化装置を支持するテープ平坦化装置支持構造体を動作位置に移動するステップ（７２）を含む。支持構造体の動作位置は、ＯＰＵを介して光学テープにおける情報の読出し／書込みを可能にするよう、光学テープ平坦化装置を位置決めする。
【００２７】
さらに、光ピックアップユニット（ＯＰＵ）への損傷を最小限にするための方法（７０）は、テープ平坦化装置支持構造体を非動作位置に移動するステップ（７４）を含む。支持構造体の非動作位置は、ＯＰＵに対する損傷なしでテープ駆動システムを介する光学テープリーダの通過を可能にするよう、光学テープ平坦化装置を位置決めする。
【００２８】
この点に関し、先に上に図２〜図６と関連して記載されたように、テープ平坦化装置支持構造体を動作位置および非動作位置に移動するステップ（７２、７４）は、双安定ロータリーアクチュエータにおいて永久磁石回転子とともに動作に対して構成された磁気固定子のコイル巻線に通電することおよび通電を切ることを含んでもよい。回転子は、テープ平坦化装置支持構造体と協働して、回転子の回転が動作位置と非動作位置との間のテープ平坦化装置支持構造体の回転運動をあたえるようにする。
【００２９】
同様に、テープ平坦化装置支持構造体を動作位置および非動作位置に移動するステップ（７２、７４）は、固定子のコイル巻線に第１の電流および第２の電流を通電することを含んでもよく、固定子は、再び、双安定ロータリーアクチュエータにおいて、永久磁石回転子とともに、動作に対して構成される。もう一度、回転子は、テープ平坦化装置支持構造体と協働して、回転子の回転が動作位置と非動作位置との間のテープ平坦化装置支持構造体の回転運動をあたえるようにする。
【００３０】
前述の記載から容易に明らかなように、光学テープ駆動部を通るテープリーダ通過による、光学テープ駆動部における光ピックアップユニット（ＯＰＵ）に対する損傷の可能性を低減する、光学記録システムにおけるテープ送りサブシステムで用いられる可動テープ平坦化装置が開示された。同様に、可動テープ平坦化装置は、光学記録システムの最適性能を確実にするためにＯＰＵの前においてテープ媒体の精密な位置決めおよび平坦化をあたえ続ける。
【００３１】
可動テープ平坦化装置および光学テープ駆動システムにおいて光ピックアップユニットに対する損傷を最小限にするための方法のある実施例がここに例示され記載される一方で、それらは単に例示的なものであって、可能なもの全てを例示および／または記載するように意図されるものではない。むしろ、ここに用いられる文言は限定ではなく記載の文言であり、さまざまな変更が特許請求の範囲の精神および範囲から逸脱せずに行われてもよいことが理解される。
【図１】
0005918226.tif 000002
【図２ａ】
0005918226.tif 000003
【図２ｂ】
0005918226.tif 000004
【図３ａ】
0005918226.tif 000005
【図３ｂ】
0005918226.tif 000006
【図３ｃ】
0005918226.tif 000007
【図３ｄ】
0005918226.tif 000008
【図４ａ】
0005918226.tif 000009
【図４ｂ】
0005918226.tif 000010
【図５ａ】
0005918226.tif 000011
【図５ｂ】
0005918226.tif 000012
【図６ａ】
0005918226.tif 000013
【図６ｂ】
0005918226.tif 000014
【図７】
0005918226.tif 000015